(57)【要約】【課題】腕に鬱血が起きることを防止しながら患者による自傷行為を確実に防止するとともに、身体の動きまで抑制されることを防止できるようにする。【解決手段】両端の開口部１８０ａ，１８０ｂを介して患者の前腕を通すための中空部分を有する可撓性の本体１２０と、中空部分に前腕を通した状態で、右端側の開口部１８０ａから突出した手指にひっかけて開口部１８０ａの位置が手首付近に保持されるようにするためのフック１４０と、患者が寝ている寝台と本体１２０とを接続する接続具１６０とを備え、中空部分の容積が前腕のうち中空部分に位置する部分の容積より大きくなるように形成することにより、中空部分に通した前腕が締め付けられなくするとともに、接続具１６０によって寝台に対する本体の動きが抑制され、かつ、フック１４０によって本体１２０が肘の方へずれないよう固定されるようにする。【選択図】図２
0003157912.tif 000002
【実用新案登録請求の範囲】
【請求項１】
両端に開口部を有し、当該両端の開口部を介して患者の前腕を通すための中空部分を有する可撓性の本体と、
前記本体に設けられ、前記本体の中空部分に前記患者の前腕を通した状態で、前記本体と前記前腕との相対位置を保持する保持手段と、
前記患者が寝ている寝台と前記本体とを接続するための接続具とを備え、
前記本体の中空部分に前記患者の前腕を通した状態で、前記中空部分の容積は、前記前腕のうち当該中空部分に位置する部分の容積より大きいことを特徴とする片腕用抑制具。
【請求項２】
請求項１に記載の片腕用抑制具において、
前記保持手段は、前記本体の一端側の前記開口部から突出した手指にひっかけて当該開口部の位置が前記患者の手首付近に保持されるようにするためのフックであることを特徴とする片腕用抑制具。
【請求項３】
請求項１に記載の片腕用抑制具において、
前記保持手段は、前記本体の一端側の前記開口部付近に設けられた雌状係合部、および、前記本体の一端側の前記開口部付近に設けられ、前記雌状係合部と係合するための雄状係合部であることを特徴とする片腕用抑制具。
【考案の詳細な説明】
【技術分野】
【０００１】
本考案は、要介護患者の片腕の自由な行動を抑制する片腕用抑制具に関する。
【背景技術】
【０００２】
病院、老人介護施設、家庭などにおいて、例えば、脳に障害を受けたことにより寝たきり状態となっている要介護患者は、腕を無意識的に身体のほうへ動かし、身体を必要以上にかいたりすることにより傷つけてしまうことがある。
【０００３】
そこで、このような行為（以下、自傷行為という）を防止するため、要介護患者の手首部分にリストバンドを取り付け、そのリストバンドに接続されたストラップをベッドの横枠に縛り付けることにより、腕の自由な行動を抑制することが行われている。しかし、リストバンドの締め付けが強いと、手首部分が圧迫されて鬱血を起こすことがあるという問題があった。
【０００４】
このような問題に関連して、患者の両腕を抑制する際に両腕の自由な行動を出来るだけ確保した技術が提案されている（例えば、特許文献１を参照）。この特許文献１に記載の技術では、２枚の布地の左右上部に腕の挿入部分を残して袋状に縫い合わせたカバーを使用して両腕の抑制を行う。具体的には、布地の挿入部分から左右の手を袋内に挿入させ、カバーの四隅に取り付けられた紐をベットの手摺に固定する。これにより、リストバンドを用いた抑制方法と比べて、少なくとも袋内では両腕が自由に動いて締め付けられることはないため、手が鬱血することを防止することができる。
【先行技術文献】
【特許文献】
【０００５】
【特許文献１】特開２０００−４２０１６号公報
【考案の概要】
【考案が解決しようとする課題】
【０００６】
しかしながら、特許文献１に記載の技術では、両腕は袋内に挿入されているものの何かに固定されているわけではなく、袋の挿入部分も比較的広く開口しているため、袋の挿入部分から腕が抜けてしまう恐れがある。この場合、患者が腕を身体のほうへ動かし、身体をかいてしまう可能性があった。
【０００７】
また、カバーは患者の腹部付近全体を覆う構造となっているため、患者の身体の動きまで抑制されてしまう。つまり、寝返りが出来ないので血行の流れが悪化して全身に支障をきたし、特に床ずれが出来やすいという問題もあった。
【０００８】
本考案は、このような問題を解決するために成されたものであり、腕に鬱血が起きることを防止しながら患者による自傷行為を確実に防止するとともに、身体全体の動きまで抑制されることを防止できるようにすることを目的とする。
【課題を解決するための手段】
【０００９】
上記した課題を解決するために、本考案では、両端に有する開口部を介して患者の前腕を通すための中空部分を有する可撓性の本体と、本体の中空部分に患者の前腕を通した状態で、本体と前腕との相対位置を保持する保持手段と、患者が寝ている寝台と本体とを接続するための接続具とを備え、本体の中空部分に患者の前腕を通した状態で、中空部分の容積が、前腕のうち当該中空部分に位置する部分の容積より大きくなるように構成している。
【考案の効果】
【００１０】
上記のように構成した本考案によれば、本体の中空部分に前腕を通した際、本体が前腕に密着せず、当該前腕が締め付けられることはないため、腕に鬱血が起きることを防止することができる。また、接続具によって寝台に対する本体の動きが抑制されるとともに、保持手段によって本体が肘の方へずれないように固定される。そのため、患者は身体をかくために前腕を身体のほうへ動かすことが抑制され、患者による自傷行為を確実に防止することができる。また、本体によって動きが抑制されるのは患者の腕のみであるため、患者の身体全体の動きまで抑制されることを防止することができる。
【図面の簡単な説明】
【００１１】
【図１】第１の実施形態による片腕用抑制具の構成例を示す図である。
【図２】第１の実施形態による片腕用抑制具を患者が使用した状態の例を示す図である。
【図３】第２の実施形態による片腕用抑制具の構成例を示す図である。
【考案を実施するための形態】
【００１２】
以下、本考案による第１の実施形態を図面に基づいて説明する。図１は、第１の実施形態による片腕用抑制具１００の構成例を示す図である。片腕用抑制具１００は、患者の片腕の自由な行動を抑制するものである。なお、以下の説明においては、図面に向かって右方向を「右」と称し、左方向を「左」と称する。
【００１３】
図１において、片腕用抑制具１００は、本体１２０、フック１４０（本発明の保持手段に相当する）および接続具１６０を備えて構成されている。本体１２０は、通気性、吸湿性に富むメッシュ状の布で形成したものであり、可撓性を有している。また、本体１２０は、両端に開口部１８０ａ，１８０ｂを有し、当該両端の開口部１８０ａ，１８０ｂを介して患者の前腕を通すための中空部分を有している。この中空部分は、患者の前腕を中に入れるものであるため、患者の手首部分から肘部分あたりまでの長さを備えている。また、本体１２０は、中空部分に患者の前腕を通した状態で、中空部分の容積が前腕のうち当該中空部分に位置する部分の容積より大きくなるように形成されている。
【００１４】
フック１４０は、例えば紐状の輪であり、本体１２０の右端側の開口部１８０ａ付近（袖口）に設けられている。フック１４０は、本体１２０の中空部分に患者の前腕を通した状態で、本体１２０の右端側の開口部１８０ａから突出した手指にひっかけることにより、本体１２０と前腕との相対位置を保持する。すなわち、フック１４０によって本体１２０が肘の方にずれないようにする。そのために、フック１４０は、本体１２０の右端側の開口部１８０ａが手首付近にあるとき、開口部１８０ａから突出した手指にフック１４０がひっかけられた状態で弛まない程度の長さ（およそ手首から親指と人差し指との又までの長さ）を有している。
【００１５】
接続具１６０は、患者が寝ている寝台（図示せず）と本体１２０とを接続するための３本の紐で構成されている。この３本の紐はそれぞれ、患者が身体をかくために前腕を身体のほうへ動かすことを抑制するためのものである。接続具１６０を構成している各紐の一端は、本体１２０の側面に均等な間隔で取り付けられている。また、接続具１６０を構成している各紐の他端は、寝台の手摺の１箇所にまとめて縛り付けられる。それにより、寝台と本体１２０とが接続される。このとき、患者が寝ている位置に応じて、寝台と本体１２０とが接続された状態で接続具１６０が弛まない程度の長さとなるように縛り付ける。なお、接続具１６０を構成している各紐の他端は、寝台の手摺の別々の箇所にそれぞれ縛り付けるようにしても良い。
【００１６】
次に、第１の実施形態による片腕用抑制具１００の使用方法を説明する。図２は、第１の実施形態による片腕用抑制具１００を患者が使用した状態の例を示す図である。片腕用抑制具１００は、病院や自宅等で患者が寝台に寝ている時に使用することができる。
【００１７】
まず、本体１２０の右端側の開口部１８０ａから手指が突出するように、患者の前腕を本体１２０の左端側の開口部１８０ｂから中空部分に通す。次に、本体１２０の中空部分に患者の前腕を通した状態で、右端側の開口部１８０ａから突出した手指にフック１４０をひっかける。図２の例では、フック１４０を親指と人差し指との間にひっかけている。最後に、接続具１６０を構成している各紐の他端を寝台の手摺に縛り付けることにより、寝台と本体１２０とを接続する。
【００１８】
以上詳しく説明したように、第１の実施形態では、両端の開口部１８０ａ，１８０ｂを介して患者の前腕を通すための中空部分を有する可撓性の本体１２０と、本体１２０の中空部分に患者の前腕を通した状態で、本体１２０と前腕との相対位置を保持するフック１４０と、患者が寝ている寝台と本体１２０とを接続するための接続具１６０とを備え、本体１２０の中空部分に患者の前腕を通した状態で、中空部分の容積が、前腕のうち中空部分に位置する部分の容積より大きくなるように構成している。
【００１９】
これにより、本体１２０の中空部分に前腕を通した際、本体１２０が前腕に密着せず、前腕が締め付けられることはないため、腕に鬱血が起きることを防止することができる。また、接続具１６０によって寝台に対する本体１２０の動きが抑制されるとともに、フック１４０によって本体１２０が肘の方へずれないように固定される。そのため、患者は身体をかくために前腕を身体のほうへ動かすことが抑制され、患者による自傷行為を確実に防止することができる。また、本体１２０によって動きが抑制されるのは患者の腕のみであるため、患者の身体全体の動きまで抑制されることを防止することができる。
【００２０】
次に、本考案による第２の実施形態を図面に基づいて説明する。図３は、第２の実施形態による片腕用抑制具１００′の構成例を示す図である。なお、この図３において、図１に示した符号と同一の符号を付したものは同一の構成要素であるので、ここでは重複する説明を省略する。
【００２１】
図３に示すように、片腕用抑制具１００′は、本体１２０の右端側の開口部１８０ａ付近に設けられたボタン孔２２０（本発明の雌状係合部に相当する）、および、本体１２０の右端側の開口部１８０ａ付近に設けられ、ボタン孔２２０に嵌めるためのボタン２４０（本発明の雄状係合部に相当する）を更に備えて構成されている。本体１２０の中空部分に患者の前腕を通した状態で、ボタン孔２２０にボタン２４０を嵌めることにより、本体１２０の右端側の開口部１８０ａの開口面積が小さくなって前腕が本体１２０にひっかかり、本体１２０と前腕との相対位置が保持される。
【００２２】
以上詳しく説明したように、第２の実施形態では、例えば、フック１４０が手指から万が一外れてしまった場合でも、本体１２０が肘の方へずれないように固定される。そのため、患者は身体をかくために前腕を身体のほうへ動かすことが抑制され、患者による自傷行為をより確実に防止することができる。
【００２３】
なお、上記第２の実施形態では、フック１４０、ボタン孔２２０およびボタン２４０によって本体１２０が肘の方へずれないように固定する例について説明したが、本発明はこれに限定されない。例えば、フック１４０を除いたボタン孔２２０、ボタン２４０のみによって本体１２０が肘の方へずれないように固定しても良い。
【００２４】
また、上記第２の実施形態では、本体１２０の右端側の開口部１８０ａ付近にボタン孔２２０およびボタン２４０を設ける例について説明したが、本発明はこれに限定されない。例えば、本体１２０の左端側の開口部１８０ｂ付近にボタン孔２２０およびボタン２４０を設けるようにしても良い。また、本体１２０の右端側の開口部１８０ａおよび左端側の開口部１８０ｂ付近にボタン孔２２０およびボタン２４０を設けるようにしても良い。
【００２５】
また、上記第２の実施形態では、本発明の雌状係合部および雄状係合部にそれぞれ相当する部材としてボタン孔２２０およびボタン２４０を採用する例について説明したが、本発明はこれに限定されない。例えば、本発明の雌状係合部および雄状係合部にそれぞれ相当する部材として面ファスナーを採用しても良いし、鉤形のホックを採用しても良い。また、本発明の雌状係合部および雄状係合部にそれぞれ相当する部材として磁石を採用しても良いし、吸着盤を採用しても良い。
【００２６】
また、上記第１および第２の実施形態では、接続具１６０が３本の紐で構成する例について説明したが、本発明はこれに限定されない。例えば、接続具１６０は、２本以下または４本以上の紐で構成しても良い。また、接続具１６０は、患者が寝ている寝台と本体１２０とをより強固に接続するため、紐より太い綱や縄であっても良い。
【００２７】
また、上記第１および第２の実施形態では、フック１４０は、紐状の輪で構成する例について説明したが、本発明はこれに限定されない。例えば、フック１４０は、本体１２０の右端側の開口部１８０ａ付近の別々の箇所に、一端および他端がそれぞれ接続される紐で構成しても良い。
【００２８】
また、上記第１および第２の実施形態では、接続具１６０を構成している各紐の一端が、本体１２０の側面に均等な間隔で取り付けられている例について説明したが、本発明はこれに限定されない。例えば、各紐の一端が、本体１２０の側面に不均等な間隔で接続されていても良い。
【００２９】
その他、上記第１および第２の実施形態は、何れも本考案を実施するにあたっての具体化の一例を示したものに過ぎず、これらによって本考案の技術的範囲が限定的に解釈されてはならないものである。すなわち、本考案はその精神、またはその主要な特徴から逸脱することなく、様々な形で実施することができる。
【符号の説明】
【００３０】
１００，１００′  片腕用抑制具
１２０  本体
１４０  フック
１６０  接続具
１８０ａ，１８０ｂ  開口部
２２０  ボタン孔
２４０  ボタン
【図１】
0003157912.tif 000003
【図２】
0003157912.tif 000004
【図３】
0003157912.tif 000005